(57)【要約】      （修正有）【課題】容器側壁にパンなどの食品が湿気でへばり付くことを防止できると共に、サンドウィッチなどの食品にボリューム感を生じさせ、綺麗な見栄えを得ることができる食品用包装容器を提供する。【解決手段】側面視略三角形の形状を有し、前面側に閉塞可能な取出用の開口を備える合成樹脂製の食品用包装容器であって、両側の側壁５・５の内面に、内側に突出するサンドウィッチＳＷなどに接触可能な突条５１が配列して設けられ、突条５１は、開口の開口面に対して略直角に延設されると共に、相互に離間して設けられる。【選択図】図５
2017178328.tif 000002
【特許請求の範囲】
【請求項１】
側面視略三角形の形状を有し、前面側に閉塞可能な取出用の開口を備える合成樹脂製の食品用包装容器であって、
両側の側壁の内面に、内側に突出する食品に接触可能な内側突部が配列して設けられていることを特徴とする食品用包装容器。
【請求項２】
前記内側突部が突条であり、
前記突条が、前記開口の開口面に対して略直角に延設されていると共に、相互に離間して設けられていることを特徴とする請求項１記載の食品用包装容器。
【請求項３】
前記内側突部が点状突起であることを特徴とする請求項１記載の食品用包装容器。
【請求項４】
前記側壁のそれぞれが内方へ凸で弧状に傾斜して形成されていることを特徴とする請求項１〜３の何れかに記載の食品用包装容器。
【請求項５】
底板の前記開口寄りの位置に外側突出部が設けられ、
前記開口の逆側に位置する角部と前記外側突出部とで支持されることを特徴とする請求項１〜４の何れかに記載の食品用包装容器。
【請求項６】
底板の前記開口寄りの位置に外側突出部が設けられ、
前記外側突出部が、前後方向に延在して形成されていると共に、幅方向に離間して複数形成されていることを特徴とする請求項１〜５の何れかに記載の食品用包装容器。
【請求項７】
前記開口の周囲にトップシールフィルム貼着用のフランジが設けられ、
前記フランジの外端部が前記開口の開放側と逆側に折り曲げて形成されていることを特徴とする請求項１〜６の何れかに記載の食品用包装容器。
【請求項８】
前記開口の一辺の外側にヒンジ部が設けられ、
前記開口に嵌合可能な蓋部が前記ヒンジ部を介して連設されていることを特徴とする請求項１〜６の何れかに記載の食品用包装容器。
【発明の詳細な説明】
【技術分野】
【０００１】
本発明は、サンドウィッチなどの食品が収容される合成樹脂製の食品用包装容器に関する。
【背景技術】
【０００２】
店舗販売されるサンドウィッチは、合成樹脂フィルムで全体を包むようにして包装されることが多いが、特許文献１のように、合成樹脂製の包装容器にサンドウィッチを収容するようにして包装するものもある。この包装容器は、上方に開口を有する矩形箱型であり、包装容器の内側底部に吸水シートを敷設し、その上にサンドウィッチを収容し、窒素ガスを注入して脱気処理を施した後に、開口の周囲のフランジにトップシールフィルムを貼着して封止するようにして使用されている。
【先行技術文献】
【特許文献】
【０００３】
【特許文献１】実用新案登録第３０９４２１６号公報
【発明の概要】
【発明が解決しようとする課題】
【０００４】
ところで、特許文献１の包装容器は、側壁を開口に向かってテーパ状に形成してサンドウィッチと側壁との間に空間を設け、サンドウィッチを取り出す際に、側壁にパンが湿気でへばり付いて取り出しにくくなることを防止している。しかしながら、このようにサンドウィッチの大きさと形状に対応せず、サンドウィッチと包装容器との間に大きな空間が形成される包装容器とすると、不要な空間ができて見栄えが悪くなり、サンドウィッチのボリューム感が失われる。そのため、側壁にパンが湿気でへばり付くことを防止できると共に、サンドウィッチのボリューム感を生じさせ、綺麗な見栄えが得られる包装容器が望まれている。
【０００５】
本発明は上記課題に鑑み提案するものであり、容器側壁にパンなどの食品が湿気でへばり付くことを防止できると共に、サンドウィッチなどの食品にボリューム感を生じさせ、綺麗な見栄えを得ることができる食品用包装容器を提供することを目的とする。
【課題を解決するための手段】
【０００６】
本発明の食品用包装容器は、側面視略三角形の形状を有し、前面側に閉塞可能な取出用の開口を備える合成樹脂製の食品用包装容器であって、両側の側壁の内面に、内側に突出する食品に接触可能な内側突部が配列して設けられていることを特徴とする。
これによれば、内側突部をサンドウィッチなどの食品に接触させることで、側壁と食品の接触面積が内側突部の先端近傍の局所的な領域となり、側壁と食品の接触面積を大幅に削減することができ、容器側壁にパンが湿気でへばり付くことを防止することができる。従って、食品を取り出す際には、食品をスムーズ且つ綺麗に取り出すことができる。また、内側突部を食品に接触可能に設け、サンドウィッチなどの食品の大きさと形状に対応し、食品と両側の側壁との間に余分な空間が生じないことから、収容される食品のボリューム感を生じさせ、綺麗な見栄えを得ることができる。また、合成樹脂を引き延ばして側壁を形成する際に、側壁の肉厚が薄くなりがちであるが、側壁に内側突部を配列して設けることにより、面一の側壁に比して側壁の強度を高めることができる。
【０００７】
本発明の食品用包装容器は、前記内側突部が突条であり、前記突条が、前記開口の開口面に対して略直角に延設されていると共に、相互に離間して設けられていることを特徴とする。
これによれば、離間配置される突条により、側壁とサンドウィッチなどの食品の接触面積を大幅に削減しつつ、食品を安定して保持することができる。また、開口面に対して略直角に延設された突条により、利用者が食品を取り出し易くなると共に、包装容器を積み重ねた状態から取り外す際に包装容器相互が引っかかることなく、スムーズに取り外すことができる。また、開口面に対して略直角に延設された突条を側壁に離間配置することにより、側壁の強度を大幅に高めることができる。
【０００８】
本発明の食品用包装容器は、前記内側突部が点状突起であることを特徴とする。
これによれば、点状突起により、側壁と食品の接触面積を大幅に削減しつつ、食品を安定して保持することができる。
【０００９】
本発明の食品用包装容器は、前記側壁のそれぞれが内方へ凸で弧状に傾斜して形成されていることを特徴とする。
これによれば、両側の側壁が略ラッパ形状になるから、包装容器の形状が手で掴む際に非常に持ちやすい形状となる。また、サンドウィッチなどの食品の大きさと形状に一層対応した形状となり、不要なスペースが出来ずに見栄えが一層良くなると共に、ボリューム感も増大する。
【００１０】
本発明の食品用包装容器は、底板の前記開口寄りの位置に外側突出部が設けられ、前記開口の逆側に位置する角部と前記外側突出部とで支持されることを特徴とする。
これによれば、開口寄りの外側突出部で支持することにより、商品陳列時にサンドウィッチなどの食品の重心を後方に傾けることができ、透光性のトップシールフィルムや透光性の蓋部等の閉塞部に具材の油分等の食材が触れることを防ぎ、食品の視認性や美観の低下を防止することができる。また、包装容器の開口周囲のフランジを包装容器の支持部分としないことが可能となり、フランジに負荷される荷重でフランジが破損することを防止できる。
【００１１】
本発明の食品用包装容器は、底板の前記開口寄りの位置に外側突出部が設けられ、前記外側突出部が、前後方向に延在して形成されていると共に、幅方向に離間して複数形成されていることを特徴とする。
これによれば、底板の幅方向に細長の外側突出部が離間して並べることで、底板の強度を高めることができる。
【００１２】
本発明の食品用包装容器は、前記開口の周囲にトップシールフィルム貼着用のフランジが設けられ、前記フランジの外端部が前記開口の開放側と逆側に折り曲げて形成されていることを特徴とする。
これによれば、フランジの外端部の折曲部によってトップシールフィルムの縁に貼着されないごく僅かな領域を形成することができ、トップシールフィルムを剥がしてサンドウィッチなどの食品を取り出す際に、トップシールフィルムを非常に剥がしやすくすることができる。また、フランジの折曲部によりフランジの剛性、強度を高めることができる。
【００１３】
本発明の食品用包装容器は、前記開口の一辺の外側にヒンジ部が設けられ、前記開口に嵌合可能な蓋部が前記ヒンジ部を介して連設されていることを特徴とする。
これによれば、包装容器の閉塞に別部材の蓋等を用いる必要をなくすことができ、食品の収容作業の効率化を図ることができる。
【００１４】
また、本発明の食品用包装容器は、側面視略三角形の形状を有し、前面側に閉塞可能な取出用の開口を備える合成樹脂製の食品用包装容器であって、両側の側壁のそれぞれが内方へ凸で弧状に傾斜して形成されていることを特徴とする。
これによれば、両側の側壁が略ラッパ形状になるから、包装容器の形状が手で掴む際に非常に持ちやすい形状となる。また、サンドウィッチなどの食品の大きさと形状にかなり対応した形状となり、不要なスペースが出来ずに見栄えが非常に良くなると共に、ボリューム感も増大する。
【００１５】
また、本発明の食品用包装容器は、側面視略三角形の形状を有し、前面側に閉塞可能な取出用の開口を備える合成樹脂製の食品用包装容器であって、底板の前記開口寄りの位置に外側突出部が設けられ、前記開口の逆側に位置する角部と前記外側突出部とで支持されることを特徴とする。
これによれば、開口寄りの外側突出部で支持することにより、商品陳列時にサンドウィッチなどの食品の重心を後方に傾けることができ、透光性のトップシールフィルムや透光性の蓋部等の閉塞部に具材の油分等の食材が触れることを防ぎ、食品の視認性や美観の低下を防止することができる。
【００１６】
また、本発明の食品用包装容器は、側面視略三角形の形状を有し、前面側に閉塞可能な取出用の開口を備える合成樹脂製の食品用包装容器であって、前記開口の周囲にトップシールフィルム貼着用のフランジが設けられ、前記フランジの外端部が前記開口の開放側と逆側に折り曲げて形成されていることを特徴とする。
これによれば、フランジの外端部の折曲部によってトップシールフィルムの縁に貼着されないごく僅かな領域を形成することができ、トップシールフィルムを剥がしてサンドウィッチなどの食品を取り出す際に、トップシールフィルムを非常に剥がしやすくすることができる。また、フランジの折曲部によりフランジの剛性、強度を高めることができる。
【発明の効果】
【００１７】
本発明の食品用包装容器によれば、容器側壁にパンなどの食品が湿気でへばり付くことを防止することができると共に、収容されるサンドウィッチなどの食品にボリューム感を生じさせ、綺麗な見栄えを得ることができる
【図面の簡単な説明】
【００１８】
【図１】（ａ）は本発明による第１実施形態の食品用包装容器の開口側を下に向けた状態の平面図、（ｂ）はその状態の底面図。
【図２】（ａ）は第１実施形態の食品用包装容器の開口側を下に向けた状態の右側面図、（ｂ）はその状態の左側面図。
【図３】（ａ）は第１実施形態の食品用包装容器の開口側を下に向けた状態の正面図、（ｂ）はその状態の背面図。
【図４】（ａ）は図１のＡ−Ａ端面図、（ｂ）は図２のＢ−Ｂ拡大端面図。
【図５】（ａ）は第１実施形態の食品用包装容器にサンドウィッチを収容してトップシールを施し、棚に載置した状態の側面図、（ｂ）はＣ部拡大図。
【図６】（ａ）は本発明による第２実施形態の食品用包装容器にサンドウィッチを収容してトップシールを施し、棚に載置した状態の側面図、（ｂ）は第２実施形態の食品用包装容器の開口側を下に向けた状態の平面図。
【図７】本発明による第３実施形態の食品用包装容器の開口側を下に向けた状態の平面図。
【図８】第３実施形態の食品用包装容器の開口側を下に向けた状態の底面図。
【図９】第３実施形態の食品用包装容器の開口側を下に向けた状態の右側面図。
【図１０】第３実施形態の食品用包装容器の開口側を下に向けた状態の左側面図。
【図１１】（ａ）は第３実施形態の食品用包装容器の開口側を下に向けた状態の正面図、（ｂ）はその状態の背面図。
【図１２】図７のＤ−Ｄ端面図。
【図１３】（ａ）は図９のＥ−Ｅ拡大端面図、（ｂ）は第３実施形態の食品用包装容器の蓋をほぼ閉じた状態の端面図。
【図１４】（ａ）は第１変形例の食品用包装容器にサンドウィッチを収容してトップシールを施し、棚に載置した状態の側面図、（ｂ）は第２変形例の食品用包装容器の開口側を下に向けた状態の平面図。
【図１５】第３変形例の食品用包装容器の正面図。
【発明を実施するための形態】
【００１９】
〔第１実施形態の食品用包装容器〕
本発明による第１実施形態の食品用包装容器１は、図１〜図５に示すように、側面視略三角形の形状を有し、底板２と、底板２の後端に位置する略アール形状に屈曲する角部３で略直角に折り曲げられて起立する後壁４と、底板２と後壁４とで形成される略Ｌ字形状において内側の空間の両側に設けられる側壁５・５を備える。包装容器１は、熱成形により合成樹脂で連続して一体的に形成され、略同一の肉厚の薄肉の合成樹脂板で全体が形成されており、底板２、角部３、後壁４、側壁５・５は連続して一体的に形成されている。
【００２０】
底板２の先端側には外側に膨出して略Ｌ字形に下方に屈曲する第１段差部２１が設けられていると共に、後壁４の先端側には外側に膨出して略Ｌ字形に下方に屈曲する第２段差部４１が設けられている。更に、第１段差部２１の下端、両側の側壁５・５の下端、第２段差部の下端から外側に膨出して略Ｌ字形に下方に屈曲する第３段差部６が設けられ、第３段差部６は第１段差部２１、両側の側壁５・５、第２段差部のそれぞれの下端を囲むように全周に亘って形成されている。
【００２１】
第３段差部６の下端から外側に突出するようにしてフランジ７が設けられ、フランジ７は包装容器１の閉塞可能な取出用の開口８の周囲に全周に亘って設けられている。第１実施形態のフランジ７は、トップシールフィルム貼着用として良好に機能するように設けられており、フランジ７の外端部は折曲部７１で開口８の開放側と逆側に折り曲げて形成され、更に開口８の開放側と逆側に延在した先端で外側に屈曲して外方に延在して形成されている。開口８は、底板２を下側にし且つ角部３を後側にして商品陳列棚等の載置面に載置した際に、前面側に配置されるようになっている。
【００２２】
両側の側壁５・５は、それぞれ内方へ凸で弧状に傾斜して形成されており、図３に示すように、側壁５・５は略ラッパ形状で形成されている。この両側の側壁５・５の内面には、内側に突出するサンドウィッチＳＷに接触可能な内側突部が配列して設けられており、第１実施形態の内側突部は突条５１になっている。突条５１は、開口８の開口面に対して略直角に延設されていると共に、相互に離間して設けられている。突条５１は、角部３に近い位置で延びる突条５１ほど長く延びて形成され、底板２の先端や後壁４の先端に近い突条５１ほど短い長さで形成されており、又、延設されている方向の突出高さは略同一でサンドウィッチＳＷの接触可能になっており、突条５１はサンドウィッチＳＷの形状と大きさに対応して形成されている。また、突条５１は側壁５１の弧状傾斜に倣って弧状に傾斜して形成されている。
【００２３】
また、底板２の開口８寄りの位置には側面視で裾野の広い略山形の外側突出部２２が設けられている。外側突出部２２は、前後方向に延在し、底板２の長さ方向に沿って形成されていると共に、幅方向に離間して複数形成されている。第１実施形態では、中央に長さが長い外側突出部２２が形成され、その両側に離間して長さが短い外側突出部２２が形成されている。
【００２４】
食品用包装容器１にサンドウィッチＳＷを収容した場合、図４（ｂ）に示すように、内側突部の先端近傍の局所的な領域、第１実施形態では突条５１の先端近傍の局所的な領域がサンドウィッチＳＷに接触し、この接触により食品用包装容器１内でサンドウィッチＳＷが保持される。そして、サンドウィッチＳＷを収容した食品用包装容器１には、図５に示すように、トップシールフィルム２００がフランジ７に熱溶着で貼着され、取出用の開口８が閉塞される。尚、サンドウィッチＳＷを収容した食品用包装容器１の内部に、脱気処理を施して窒素などの不活性ガスを注入し、この状態でトップシールフィルム２００をフランジ７に貼着して開口８を閉塞、封止するようにしてもよい。
【００２５】
サンドウィッチＳＷが収容され、トップシールフィルム２００を貼着された食品用包装容器１は、底板２を下側にして食品陳列棚等の載置面２１０に載置される。第１実施形態の食品用包装容器１は、開口８の逆側に位置する角部３の底板２側の部分と、底板２の先端側で外方に突出するフランジ７の外縁によって載置面２１０上で支持される。
【００２６】
第１実施形態の食品用包装容器１によれば、内側突部である突条５１をサンドウィッチＳＷに接触させることで、側壁５とサンドウィッチＳＷの接触面積が内側突部である突条５１の先端近傍の局所的な領域となり、側壁５とサンドウィッチＳＷの接触面積を大幅に削減することができ、容器側壁にパンが湿気でへばり付くことを防止することができる。従って、サンドウィッチＳＷを取り出す際には、サンドウィッチＳＷをスムーズ且つ綺麗に取り出すことができる。付言すると、内側に突出する突条５１を形成する構成に代え、外側に突出するようにへこむ凹溝を形成し、凹溝相互間の側壁面をサンドウィッチＳＷに接触させて保持する場合には両側の側壁とサンドウィッチＳＷの接触面積の削減が不十分となり、容器側壁へのパンの湿気によるへばり付きが生じてしまう。
【００２７】
また、内側突部である突条５１をサンドウィッチＳＷに接触可能に設け、サンドウィッチＳＷの形状と大きさに対応させることで、サンドウィッチＳＷと両側の側壁５・５との間に余分な空間が生じないことから、収容されるサンドウィッチＳＷのボリューム感を生じさせ、綺麗な見栄えを得ることができる。また、合成樹脂を引き延ばして側壁５を形成する際に、側壁５の肉厚が薄くなりがちであるが、側壁５に内側突部である突条５１を配列して設けることにより、面一の側壁に比して側壁５の強度を高めることができる。
【００２８】
特に第１実施形態では、内側突部を突条５１とし、この突条５１を開口８の開口面に対して略直角に延設すると共に、相互に離間して設けることで、側壁５とサンドウィッチＳＷの接触面積を大幅に削減しつつ、サンドウィッチＳＷを安定して保持することができる。また、開口面に対して略直角に延設された突条５１により、利用者がサンドウィッチＳＷを取り出し易くなると共に、包装容器１を積み重ねた状態から取り外す際に包装容器１・１相互が引っかかることなく、スムーズに取り外すことができる。また、開口面に対して略直角に延設された突条５１を側壁５に間隔を開けて並べて離間配置することにより、側壁５の強度を大幅に高めることができる。
【００２９】
また、側壁５のそれぞれを内方へ凸で弧状に傾斜して形成し、両側の側壁５・５を略ラッパ形状とすることにより、包装容器１の形状が手で掴む際に非常に持ちやすい形状となる。また、サンドウィッチＳＷの大きさと形状に一層対応した形状となり、不要なスペースが出来ずに見栄えが一層良くなると共に、ボリューム感も増大する。また、底板２の幅方向に細長の外側突出部２２を離間して並べることで、底板２の強度を高めることができる。
【００３０】
また、フランジ７の外端部の折曲部７１によってトップシールフィルム２００の縁に貼着されないごく僅かな領域を形成することができ、トップシールフィルム２００を剥がしてサンドウィッチＳＷを取り出す際に、トップシールフィルム２００を非常に剥がしやすくすることができる。また、フランジ７の折曲部７１によりフランジ７の剛性、強度を高めることができる。
【００３１】
〔第２実施形態の食品用包装容器〕
本発明による第２実施形態の食品用包装容器１ａは、図６に示すように、底板２の開口８寄りの位置に側面視で裾野の広い略山形の外側突出部２２ａが設けられている。外側突出部２２ａは、前後方向に延在し、底板２の長さ方向に沿って形成されていると共に、幅方向に離間して複数形成されており、第１実施形態と同様、中央に長さが長い外側突出部２２ａが形成され、その両側に離間して長さが短い外側突出部２２ａが形成されている。そして、外側突出部２２ａは、第１実施形態の外側突出部２２よりも高さが高く形成されており、その頂部２２１ａが外側突出部２２のそれよりも高い位置に位置するようになっている。
【００３２】
第２実施形態の食品用包装容器１ａには、第１実施形態と同様に、サンドウィッチＳＷを収容した状態でトップシールフィルム２００がフランジ７に貼着されて取出用の開口８が閉塞され、この状態で底板２を下側にして食品陳列棚等の載置面２１０に載置される。この際、包装容器１ａは、開口８の逆側に位置する角部３の底板２側の部分と、外側突出部２２ａ、より詳細には外側突出部２２ａの頂部２２１ａとで載置面２１０上で支持される。底板２の先端側で外方に突出するフランジ７の外縁は載置面２１０から僅かに浮いた状態となっている。その他の構成は第１実施形態と同様である。
【００３３】
第２実施形態の食品用包装容器１ａによれば、商品陳列時にサンドウィッチＳＷの重心を後方に傾けることができ、透光性のトップシールフィルム２００等の閉塞部に具材の油分等の食材が触れることを防ぎ、サンドウィッチＳＷの視認性や美観が低下することを防止できる。また、包装容器１ａの開口周囲のフランジ７を包装容器１ａの支持部分としないことが可能となり、フランジ７に負荷される荷重でフランジ７が破損することを防止できる。その他、第１実施形態と対応する構成から対応する効果が得られる。
【００３４】
〔第３実施形態の食品用包装容器〕
本発明による第３実施形態の食品用包装容器１ｂは、図７〜図１３に示すように、後述する蓋部１０ｂを閉めた状態で側面視略三角形の形状を有し、容器本体１１ｂは、底板２と、底板２の後端に位置する略アール形状に屈曲する角部３で略直角に折り曲げられて起立する後壁４と、底板２と後壁４とで形成される略Ｌ字形状において内側の空間の両側に設けられる側壁５・５を備える。包装容器１ｂも、熱成形により合成樹脂で連続して一体的に形成され、略同一の肉厚の薄肉の合成樹脂板で全体が形成されている。
【００３５】
包装容器１ｂには、第１実施形態と同様に、底板２の先端側には外側に膨出して略Ｌ字形に下方に屈曲する第１段差部２１が設けられ、後壁４の先端側には外側に膨出して略Ｌ字形に下方に屈曲する第２段差部４１が設けられている。更に、第１段差部２１の下端、両側の側壁５・５の下端、第２段差部の下端から外側に膨出して略Ｌ字形に下方に屈曲する第３段差部６が設けられ、第３段差部６は第１段差部２１、両側の側壁５・５、第２段差部のそれぞれの下端を囲むように全周に亘って形成されている。
【００３６】
そして、第３段差部６の下端から外側に突出するようにしてフランジ７ｂが設けられており、フランジ７ｂは包装容器１ｂの閉塞可能な取出用の開口８の周囲において、後述するヒンジ部９ｂが設けられる短辺側以外の三方に設けられている。第３実施形態のフランジ７ｂは、第１実施形態のフランジ７と異なり、その先端に向かって平らに延びて形成され、フランジ７ｂの外縁近傍には帯状にシボ面７２ｂが形成されている。また、第３実施形態における開口８も、底板２を下側にし且つ角部３を後側にして商品陳列棚等の載置面に載置した際に、前面側に配置されるようになっている。
【００３７】
両側の側壁５・５は、第１実施形態と同様に、それぞれ内方へ凸で弧状に傾斜して形成され、図１１に示すように、側壁５・５は略ラッパ形状で形成されている。両側の側壁５・５の内面には、内側に突出するサンドウィッチＳＷに接触可能な内側突部が配列して設けられ、内側突部は第１実施形態と同様に突条５１になっている。突条５１の構成は、第１実施形態と同様であり、突条５１は、開口８の開口面に対して略直角に延設されていると共に、相互に離間して設けられ、延設されている方向の突出高さは略同一でサンドウィッチＳＷの接触可能になっている。また、底板２の開口８寄りの位置には、側面視で底板２の先端に向かって漸次高さが高くなる外側突出部２２ｂが設けられている。外側突出部２２ｂは、前後方向に延在し、底板２の長さ方向に沿って形成されていると共に、幅広帯状で単数形成されている。
【００３８】
包装容器１ｂの容器本体１１ｂの開口８の短辺外側には、湾曲形状のヒンジ部９ｂが設けられており、ヒンジ部９ｂを介して開口８に嵌合可能な蓋部１０ｂが連設されている。蓋部１０ｂは、基板１０１ｂの周囲に閉塞状態で開口８側に突出するように端面視略コ字形の内嵌合突部１０２ｂが周状に設けられており、ヒンジ部９ｂで屈曲して蓋部１０ｂで開口８を閉じた状態において、内嵌合突部１０２ｂが第３段差部６に内嵌合されるようになっている。
【００３９】
蓋部１０ｂの内嵌合突部１０２ｂの周囲には、ヒンジ部９ｂが設けられている短辺側以外の三方に、外側に向かって平らに延びるフランジ１０３ｂが形成され、フランジ１０３ｂの外縁近傍には帯状にシボ面１０４ｂが形成されている。蓋部１０ｂで開口８を閉じた状態では、蓋部１０ｂのフランジ１０３ｂ、シボ面１０４ｂは、容器本体１１ｂのフランジ７ｂ、シボ面７２ｂに当接或いは近接するようになっている。
【００４０】
第３実施形態の食品用包装容器１ｂにサンドウィッチＳＷを収容した場合にも、内側突部である突条５１の先端近傍の局所的な領域がサンドウィッチＳＷに接触し、この接触によりサンドウィッチ用包装容器１ｂ内でサンドウィッチＳＷが保持される。そして、サンドウィッチＳＷが収容され、蓋部１０ｂが閉じられた状態の食品用包装容器１ｂは、底板２を下側にして食品陳列棚等の載置面２１０に載置される。第３実施形態の食品用包装容器１ｂは、開口８の逆側に位置する角部３の底板２側の部分と、ヒンジ部９ｂによって載置面２１０上で支持される。
【００４１】
第３実施形態の食品用包装容器１ｂによれば、一体的に設けられる蓋部１０ｂにより、包装容器の閉塞に別部材の蓋等を用いる必要をなくすことができ、サンドウィッチＳＷの収容作業の効率化を図ることができる。その他、第１実施形態と対応する構成から対応する効果が得られる。
【００４２】
〔実施形態の変形例等〕
本明細書開示の発明は、各発明、各実施形態の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものであり、下記変形例も包含する。
【００４３】
例えば第２実施形態の変形例として、両側の側壁５・５に突条５１を形成する構成に代え、内側突部として内側に突出する点状突起５２ｃを設け、この点状突起５２ｃを一定の配列で離間させて平面状に配設する構成としてもよい（図１４（ａ）参照）。内側突部を点状突起５２ｃに変更した食品用包装容器１ｃでも、側壁５とサンドウィッチＳＷの接触面積を大幅に削減しつつ、サンドウィッチＳＷを安定して保持することが可能である。
【００４４】
また、第２実施形態の別の変形例として、底板２の開口８寄りの位置に設ける側面視で裾野の広い略山形の外側突出部２２ｄを、前後方向に延在し、底板２の長さ方向に沿って形成すると共に、幅広帯状で単数形成する食品用包装容器１ｄとすることも可能である（図１４（ｂ）参照）。
【００４５】
また、上記実施形態におけるフランジ７、７ｂの厚みは、０．２ｍｍ以上０．５ｍｍ未満の範囲とすると好ましく、０．２５ｍｍ以上０．４５ｍｍ未満とするとより好ましい。０．２ｍｍ未満の場合には、フランジ強度が弱くなり、負荷が掛かった場合に座屈や破損の恐れが生じ、０．５ｍｍ以上の場合には、材厚アップによるコストアップにつながる。また、フランジ７、７ｂの幅は２ｍｍ以上１２ｍｍ未満の範囲とすると好ましく、４ｍｍ以上１０ｍｍ未満とするとより好ましい。２ｍｍ未満の場合には、トップシールフィルム２００と接着させる場合の幅が狭くなり、トップシール時にズレが発生した際にシール不良となる恐れが生じ、１２ｍｍ以上の場合には、フランジ強度が弱くなり、負荷が掛かった場合に座屈や破損の恐れが生ずる。
【００４６】
また、本発明の食品用包装容器は、熱可塑性樹脂製で形成することが好ましく、成形の際には、熱可塑性樹脂製シートを加熱して軟化する工程と、成型用金型を熱可塑性樹脂製シートに密着させて成型する工程を用いて成形することが好ましい。熱可塑性樹脂製シートには、例えばポリオレフィン系樹脂、ポリスチレン系樹脂、ポリエステル系樹脂並びに２種類以上の樹脂のブレンドを用い、必要に応じて添加剤をブレンドしてもよい。さらに熱可塑性樹脂シートは透明でも良く、顔料やベタ印刷フィルムの積層により着色されていてもよい。また、熱可塑性樹脂製シートにラミネート用フィルムを積層してもよい。ラミネート用フィルムはガスバリア性フィルムでもよく、意匠性を付与するために印刷が施された印刷フィルムでもよく、トップシールフィルムと接着させるためのシーラントフィルムでもよく、また２種類以上の複合フィルムでもよい。また、熱可塑性樹脂製シートをラミネートする方法として、サーマルラミネート、ドライラミネート、押出ラミネートなどを用いることができる。
【００４７】
また、本発明の食品用包装容器に収容される食品は、サンドウィッチに限定されず、適用可能な範囲で適宜であり、例えばカット野菜、おにぎらず等の食品を収容することが可能である。
【００４８】
また、本発明の食品用包装容器の形状は上記実施形態やその変形例の形状に限定されず、例えば図１５に示す全体として四面体形の食品用包装容器１ｅとしてもよい。合成樹脂製の食品用包装容器１ｅは、側面視略三角形の形状を有し、略三角形の底板２ｅと側壁５ｅ・５ｅを備え、底板２ｅと側壁５ｅ・５ｅの前面側の端縁から外方に突出するようにフランジ７ｅが周設されている。前面側にはフランジ７ｅで囲まれるようにして閉塞可能な取出用の開口８ｅが設けられ、両側の側壁５ｅ・５ｅの内面に、内側に突出する食品に接触可能な内側突部として点状突起５２ｅが配列して設けられている構成である。
【産業上の利用可能性】
【００４９】
本発明は、サンドウィッチ等の食品を収容する包装容器として利用することができる。
【符号の説明】
【００５０】
１、１ａ、１ｂ、１ｃ、1ｄ、１ｅ…食品用包装容器  ２、２ｅ…底板  ２１…第１段差部  ２２、２２ａ、２２ｂ、２２ｄ…外側突出部  ２２１ａ…頂部  ３…角部  ４…後壁  ４１…第２段差部  ５、５ｅ…側壁  ５１…突条  ５２ｃ、５２ｅ…点状突起  ６…第３段差部  ７、７ｂ、７ｅ…フランジ  ７１…折曲部  ７２ｂ…シボ面  ８、８ｅ…開口  ９ｂ…ヒンジ部  １０ｂ…蓋部  １０１ｂ…基板  １０２ｂ…内嵌合突部  １０３ｂ…フランジ  １０４ｂ…シボ面  １１ｂ…容器本体  ２００…トップシールフィルム  ２１０…載置面  ＳＷ…サンドウィッチ
【図１】
2017178328.tif 000003
【図２】
2017178328.tif 000004
【図３】
2017178328.tif 000005
【図４】
2017178328.tif 000006
【図５】
2017178328.tif 000007
【図６】
2017178328.tif 000008
【図７】
2017178328.tif 000009
【図８】
2017178328.tif 000010
【図９】
2017178328.tif 000011
【図１０】
2017178328.tif 000012
【図１１】
2017178328.tif 000013
【図１２】
2017178328.tif 000014
【図１３】
2017178328.tif 000015
【図１４】
2017178328.tif 000016
【図１５】
2017178328.tif 000017